(57)【特許請求の範囲】
【請求項１】
橈骨遠位端骨折における橈骨近位骨片及び橈骨遠位骨片の骨折部に相当する部分がそれぞれ形成された橈骨近位骨片模擬体及び橈骨遠位骨片模擬体を備えた、橈骨遠位端骨折の整復技術を習得するための整復実習に用いる模型であって、
前記橈骨近位骨片模擬体及び橈骨遠位骨片模擬体間の外周部対向面の少なくとも３箇所に形成された凹凸係合部と、
該凹凸係合部が係合した整復完了状態で、前記橈骨近位骨片模擬体及び橈骨遠位骨片模擬体を、これらが近づく方向へ弾性付勢する弾性体とを備え、
前記橈骨遠位骨片模擬体が前記橈骨近位骨片模擬体の背側に騎乗転位した状態と前記整復完了状態との間で前記弾性体と干渉しないように、前記橈骨近位骨片模擬体の背側及び前記橈骨遠位骨片模擬体の掌側の少なくともどちらかに逃げ溝を形成してなることを特徴とする橈骨遠位端骨折整復実習模型。
【請求項２】
前記橈骨近位骨片模擬体及び橈骨遠位骨片模擬体間の中央部対向面に凹凸係合部を形成してなる請求項１記載の橈骨遠位端骨折整復実習模型。
【請求項３】
前記弾性体の長手方向が、近位方向へ行くにしたがって橈側へ傾斜する請求項１記載の橈骨遠位端骨折整復実習模型。
【請求項４】
前記弾性体の張力を調節する張力調節手段を備えてなる請求項１記載の橈骨遠位端骨折整復実習模型。
【請求項５】
前記弾性体が引張コイルばねであり、前記張力調節手段がターンバックルである請求項４記載の橈骨遠位端骨折整復実習模型。
【請求項６】
前記橈骨近位骨片模擬体及び橈骨遠位骨片模擬体の少なくとも前記骨折部に相当する部分周りを、軟部組織を模した軟質素材で被覆してなる請求項１記載の橈骨遠位端骨折整復実習模型。
【請求項７】
前記橈骨近位骨片模擬体の近位端部に回転関節を設けてなる請求項１記載の橈骨遠位端骨折整復実習模型。
【請求項８】
前記橈骨近位骨片模擬体を橈骨の途中までの部分に相当する長さとして上腕から前腕の近位部までを模した腕近位部模型に取り付けて腕模型とし、該腕模型に回転関節を設けるとともに、前記腕模型を人体又は人体模型に装着する装着手段を備えてなる請求項１記載の橈骨遠位端骨折整復実習模型。
【発明の詳細な説明】
【技術分野】
【０００１】
本発明は、橈骨遠位端骨折の整復技術を習得するための整復実習に用いる模型に関するものである。
【背景技術】
【０００２】
柔道整復術は、骨・関節・筋・腱・靭帯など運動器に加わる急性、亜急性の原因によって発生する骨折・脱臼・捻挫・挫傷・打撲などの損傷に対し、手術をせずに手技によって整復・固定・後療等を行う治療術であり、柔道整復師が患部の検査や施術を行う際には、全神経を指先に集中させた指先の高度な感覚が必要になる。
このような指先の高度な感覚を身につける必要がある柔道整復師になるためには、専門学校等での学習・実習が必要であり、学生が急増している現状において、臨床の現場以外で整復技術を習得するための整復実習模型（人体模型教材）の普及が望まれている（例えば、特許文献１参照。）。
【０００３】
また、橈骨遠位端は網目をなす骨質の薄い板（骨稜）が疎に配列した海綿骨の多い部位であり、手掌をついて転倒したり自転車やバイクに乗って転倒した際等に、幅広い年齢層にわたって橈骨遠位端骨折が発生し、その発生頻度は高くなっている。
このような橈骨遠位端骨折の整復技術を習得するための整復実習模型（整復技術習得用の人体模型教材）として、骨状部材の橈骨を金属（強磁性体）製の橈骨遠位端部材と該橈骨遠位端部材に隣接する側に磁石が設けられた橈骨近位端部材とに分離し、この分離面を、丸みを帯びた頂点を有する三角形または半円にし、骨状部材を軟質部材で覆ってなるものがある（特許文献1参照。）。
【先行技術文献】
【特許文献】
【０００４】
【特許文献１】登録実用新案第３１４４３１７号公報
【発明の概要】
【発明が解決しようとする課題】
【０００５】
特許文献１のような橈骨遠位端骨折整復実習模型の構成では、橈骨遠位端部材と橈骨近位端部材とが離間することなく磁気的な吸着状態を維持しながらずれるだけであるため、橈骨遠位骨片が橈骨近位骨片の背側に騎乗転位してフォーク背状に変形した状態を再現することができず、よって、このような転位が大きくなった状態の橈骨遠位端骨折を整復する屈曲整復法の実習を行うことができない。
また、橈骨遠位端部材と橈骨近位端部材とを磁気的な吸着状態を維持しながらスライドさせる構成であることから、骨折の固有症状の一つである軋轢音を触知することができないため、実際の徒手整復に近い操作感を再現することがでず、よって指先の高度な感覚を身につけることができない。
【０００６】
そこで本発明が前述の状況に鑑み、解決しようとするところは、騎乗転位を再現して屈曲整復法の実習を行うことができ、軋轢音を触知させて実際の徒手整復に近い操作感を再現することができる橈骨遠位端骨折整復実習模型を提供する点にある。
【課題を解決するための手段】
【０００７】
本発明に係る橈骨遠位端骨折整復実習模型は、前記課題解決のために、橈骨遠位端骨折における橈骨近位骨片及び橈骨遠位骨片の骨折部に相当する部分がそれぞれ形成された橈骨近位骨片模擬体及び橈骨遠位骨片模擬体を備えた、橈骨遠位端骨折の整復技術を習得するための整復実習に用いる模型であって、前記橈骨近位骨片模擬体及び橈骨遠位骨片模擬体間の外周部対向面の少なくとも３箇所に形成された凹凸係合部と、該凹凸係合部が係合した整復完了状態で、前記橈骨近位骨片模擬体及び橈骨遠位骨片模擬体を、これらが近づく方向へ弾性付勢する弾性体とを備え、前記橈骨遠位骨片模擬体が前記橈骨近位骨片模擬体の背側に騎乗転位した状態と前記整復完了状態との間で前記弾性体と干渉しないように、前記橈骨近位骨片模擬体の背側及び前記橈骨遠位骨片模擬体の掌側の少なくともどちらかに逃げ溝を形成してなることを特徴とする。
【０００８】
このような構成によれば、凹凸係合部が係合した整復完了状態で、橈骨近位骨片模擬体及び橈骨遠位骨片模擬体を、これらが近づく方向へ弾性付勢する弾性体を備えているため、橈骨遠位端骨折を整復する際の操作力が、主に弾性体の復元力により再現される。
その上、橈骨近位骨片模擬体及び橈骨遠位骨片模擬体間の外周部対向面の少なくとも３箇所に凹凸係合部があることから、整復操作の際における凹凸係合により軋轢音を触知することができるため実際の徒手整復に近い操作感を再現することができるとともに、前記外周部対向面の少なくとも３箇所にある凹凸係合部が係合した状態では橈骨近位骨片模擬体及び橈骨遠位骨片模擬体が、その骨軸（長軸）が倒れる方向にがたつくことなく位置決めされるため、整復完了状態を触知することができる。
その上さらに、橈骨近位骨片模擬体の背側及び橈骨遠位骨片模擬体の掌側の少なくともどちらかに逃げ溝が形成されており、橈骨遠位骨片模擬体が橈骨近位骨片模擬体の背側に騎乗転位した状態と整復完了状態との間で弾性体と干渉しないことから、橈骨遠位骨片が橈骨近位骨片の背側に騎乗転位してフォーク背状に変形した状態を再現することができるため、このような転位が大きくなった状態の橈骨遠位端骨折を整復する屈曲整復法の実習を行うことができる。
その上、橈骨遠位端骨折における橈骨近位骨片及び橈骨遠位骨片の骨折部に相当する部分がそれぞれ形成された橈骨近位骨片模擬体及び橈骨遠位骨片模擬体並びにこれらを弾性付勢する弾性体等からなる簡素な構成により、製造コストを低減することができるとともに、繰り返し使用に適した信頼性を確保することができる。
【０００９】
ここで、前記橈骨近位骨片模擬体及び橈骨遠位骨片模擬体間の中央部対向面に凹凸係合部を形成してなると好ましい。
このような構成によれば、橈骨近位骨片模擬体及び橈骨遠位骨片模擬体の中央部間にも凹凸係合部があることから、この凹凸係合部も整復操作の際に凹凸係合するため、さらに実際に近い軋轢音や操作感を再現することができる。
【００１０】
また、前記弾性体の長手方向が、近位方向へ行くにしたがって橈側へ傾斜すると好ましい。
このような構成によれば、橈骨遠位骨片模擬体が橈骨近位骨片模擬体の背側に騎乗転位した状態がより実際に近いものになるとともに、整復操作する際の操作力もより実際に近いものになる。
【００１１】
さらに、前記弾性体の張力を調節する張力調節手段を備えてなると好ましい。
このような構成によれば、張力調節手段を操作することにより、実際の徒手整復に近い操作感を再現するために熟練者が行う調節を容易に行うことができるとともに、製作した多数の橈骨遠位端骨折整復実習模型における整復実習時の操作感のばらつきを小さくすることができる。
【００１２】
さらにまた、前記弾性体が引張コイルばねであり、前記張力調節手段がターンバックルであると好ましい。
このような構成によれば、弾性体及び張力調節手段を、簡素な構成で長期間にわたって動作の信頼性が高く値段が安い引張コイルばね及びターンバックルにより構成しているため、さらに製造コストの低減化及び高信頼化を図ることができるとともに、ターンバックルの胴部を回動させることにより引張コイルばねの張力調節を容易に行うことができる。
【００１３】
また、前記橈骨近位骨片模擬体及び橈骨遠位骨片模擬体の少なくとも前記骨折部に相当する部分周りを、軟部組織を模した軟質素材で被覆してなると好ましい。
このような構成によれば、骨折部に相当する部分周りが軟部組織を模した軟質素材で被覆されているため、橈骨遠位端骨折に相当する状態にした際に実際の橈骨遠位端骨折に近い状態を目視することができ、整復操作をする際の触感が実際に近いものになるとともに、軟質素材が不透明である場合には、内部が見えない状態で整復できたことを確認することが求められる整復実習に好適なものとなる。
その上、透明の軟質合成樹脂素材で形成した軟質素材で骨折部に相当する部分周りを被覆した橈骨遠位端骨折整復実習模型も製作しておくことにより、橈骨遠位端骨折の整復前後の状況を視認することができるため、整復実習をより効率的に進めることができる。
【００１４】
さらに、前記橈骨近位骨片模擬体の近位端部に回転関節を設けてなると好ましい。
このような構成によれば、橈骨近位骨片模擬体近位端部の回転関節により橈骨遠位端骨折整復実習模型の長軸回りの角度を自由に変更することができるため、整復を行う際の実際の腕の姿勢に近い状態を再現しながら整復実習を行うことができる。
【００１５】
さらにまた、前記橈骨近位骨片模擬体を橈骨の途中までの部分に相当する長さとして上腕から前腕の近位部までを模した腕近位部模型に取り付けて腕模型とし、該腕模型に回転関節を設けるとともに、前記腕模型を人体又は人体模型に装着する装着手段を備えてなると好ましい。
このような構成によれば、装着手段で人体又は人体模型に装着した人の腕に近い橈骨遠位端骨折整復実習模型により、整復される受傷者の実際の姿勢並びに整復を行う術者及び助手の実際の動作を再現することができる。
【発明の効果】
【００１６】
以上のように、本発明に係る橈骨遠位端骨折整復実習模型によれば、簡素かつ動作が確実な構成により、転位が大きい橈骨遠位端骨折の実際に近い状態が再現され、徒手整復の際における実際に近い操作感を再現することができ、製造コストを低減することができるとともに、繰り返し使用に適した信頼性を確保することができるため、実用的で普及しやすいという顕著な効果を奏する。
【図面の簡単な説明】
【００１７】
【図１】本発明の実施の形態に係る橈骨遠位端骨折整復実習模型を人に装着した状態を示す正面図である。
【図２】本発明の実施の形態に係る橈骨遠位端骨折整復実習模型における整復が完了した状態を示す部分縦断面斜視図である。
【図３】同じく背側から見た部分縦断面図である。
【図４】本発明の実施の形態に係る橈骨遠位端骨折整復実習模型における橈骨遠位骨片模擬体が橈骨近位骨片模擬体の背側に騎乗転位した状態を示す部分縦断面斜視図である。
【図５】同模型の部分縦断面分解斜視図である。
【図６】同模型における橈骨遠位骨片模擬体が橈骨近位骨片模擬体の背側に騎乗転位した状態を示す橈側から見た部分縦断面図である。
【図７】同模型における整復が完了した状態を示す橈側から見た部分縦断面である。
【図８】（ａ）は橈骨近位骨片模擬体及び橈骨遠位骨片模擬体の外周部の凹凸係合部を拡大して示す縦断面、（ｂ）は橈骨近位骨片模擬体及び橈骨遠位骨片模擬体の中央部の凹凸係合部を拡大して示す縦断面である。
【発明を実施するための形態】
【００１８】
図１に示すように、本発明の実施の形態に係る橈骨遠位端骨折整復実習模型（以下、単に「実習模型」という。）１は、手Ｈから前腕の一部までを模して製作されているため前腕全体の長さはなく、上腕から前腕の近位部までを模した腕近位部模型Ａ１に回転関節（回り対偶）１１により略骨軸（長軸）まわりに回転可能に取り付けて腕模型Ａとされ、腕模型Ａは装着手段である装着帯Ｂにより人体等に装着して使用することができる。
また、腕模型Ａは、その全体が、例えばシリコーンゴムやウレタンゴム等の軟質合成樹脂素材で形成した、皮膚、皮下組織及び筋肉等の軟部組織を模した軟質素材Ｃで被覆される。
【００１９】
前腕骨は橈骨及び尺骨により構成されるが、図２〜図７に示すように、実習模型１の簡素化のため、尺骨を欠損させ、橈骨遠位端を通常の橈骨近位骨片及び橈骨遠位骨片よりも大きく形成しており、実習模型１は、橈骨遠位端骨折における橈骨近位骨片及び橈骨遠位骨片の骨折部に相当する部分がそれぞれ形成された橈骨近位骨片模擬体２及び橈骨遠位骨片模擬体３を備えている。
また、橈骨近位骨片模擬体２の外周部２Ａ（図５参照。）の３箇所には係合凸部５，…が、橈骨遠位骨片模擬体３の外周部３Ａ（図４及び図５参照。）の３箇所には係合凸部５，…に係合する係合凹部６，…が形成され、橈骨近位骨片模擬体２の中央部２Ｂ（図５参照。）には係合凸部７が、橈骨遠位骨片模擬体３の中央部３Ｂ（図４及び図５参照。）には係合凸部７に係合する係合凹部８が形成され、図２及び図７の整復完了状態では、係合凹部６，…及び係合凹部８に係合凸部５，…及び係合凸部７が凹凸係合する。
すなわち、橈骨近位骨片模擬体２及び橈骨遠位骨片模擬体３間の外周部２Ａ，３Ａ（図５参照。）の対向面３箇所に凹凸係合部が形成され、橈骨近位骨片模擬体２及び橈骨遠位骨片模擬体３間の中央部２Ｂ，３Ｂの対向面１箇所に凹凸係合部が形成される。
【００２０】
図８（ａ）に示すように、係合凹部６は、例えば遠位方向へ行くにしたがって縮径する丸穴であり、その円錐面状の傾斜面６Ａに、例えば丸軸状の係合凸部５先端部の球面５Ａが当接した状態で凹凸係合し、位置決めされる。
また、図８（ｂ）に示すように、係合凹部８は、例えば遠位方向へ行くにしたがって縮径する丸穴であり、その円錐面状の傾斜面８Ａに、例えば丸軸状の係合凸部７先端部の傾斜面７Ａが当接した状態で凹凸係合し、位置決めされる。
なお、これらのような凹凸係合部として、橈骨近位骨片模擬体２に係合凹部を形成し、橈骨遠位骨片模擬体３に係合凸部を形成するようにしてもよい。
ここで、橈骨近位骨片模擬体２及び橈骨遠位骨片模擬体３間の外周部２Ａ，３Ａ（図５参照。）の対向面に形成する凹凸係合部を４箇所以上としてもよく、前記外周部２Ａ，３Ａ対向面に形成される凹凸係合部が３箇所以上であれば、これらの凹凸係合部は一直線上にないため、これらの凹凸係合部が係合状態になると、骨軸（長軸）が倒れる方向にがたつくことがなく、実際の整復完了状態に近い状態を模擬することができる。
【００２１】
また、図２及び図７のように係合凸部５，…及び係合凹部６，…並びに係合凸部７及び係合凹部８が係合した整復完了状態で、弾性体である引張コイルばね９が、その近位端末９Ａ及び遠位端末９Ｂを、それぞれ橈骨近位骨片模擬体２の中央（係合凸部７に形成された軸方向に伸びる穴の近位壁）に取り付けられたループ状紐体１０Ａ及び橈骨遠位骨片模擬体３の遠位の手骨部４中央に固定された受け部材４Ａの掛止ピン１０Ｂに掛止することにより取り付けられるため、引張コイルばね９により、橈骨近位骨片模擬体２及び橈骨遠位骨片模擬体３は、これらが近づく方向へ弾性付勢される。
ここで、図３に示すように、引張コイルばね９の長手方向は、近位方向へ行くにしたがって、例えば１０°〜２０°程度橈側へ傾斜している。
【００２２】
なお、図６に示す橈骨遠位端骨折に相当する状態から図７に示す整復完了状態との間で、引張コイルばね９のストローク（引張コイルばね９の伸びの変化量）が定まるため、材質、線径、コイル径及び巻数を変えて自由長さやばね定数等の特性を変化させた複数の引張コイルばねを付け替えなから、例えば専門学校の柔道整復師学科の教師等の熟練した柔道整復師が、実習模型１を操作して、徒手整復する際の操作力を確認しながら、実際の操作力に近くなる引張コイルばね９を選定すればよい。
また、引張コイルばね９に対して、これと直列にターンバックルを取り付けることや引張コイルばね９の端末を掛止する位置を可変にすること等による張力調節手段を備えることにより、引張コイルばね９の張力調節を行うことができる。
さらに、弾性体は、引張コイルばねに限定されるものではなく、ゴムチューブやゴム紐等の弾性体であってもよい。
【００２３】
さらにまた、図２及び図７に示す整復完了状態と図４及び図６に示す橈骨遠位骨片模擬体３が橈骨近位骨片模擬体２の背側に騎乗転位した状態との間で、引張コイルばね９と干渉しないように、橈骨近位骨片模擬体２の背側には逃げ溝２Ｃが、橈骨遠位骨片模擬体３の掌側３には逃げ溝３Ｃが形成される。
なお、このような逃げ溝は、整復完了状態と騎乗転位状態との間で引張コイルばね９等の弾性体と干渉しないように形成されるものであるため、引張コイルばね９等の弾性体の形状やその端末の取付位置によっては、橈骨近位骨片模擬体２の背側及び橈骨遠位骨片模擬体３の掌側に形成する逃げ溝を一方のみとすることもできる。
【００２４】
以上のような実習模型１の構成によれば、係合凸部５，…及び係合凹部６，…並びに係合凸部７及び係合凹部８が係合した図２及び図７に示す整復完了状態で、橈骨近位骨片模擬体２及び橈骨遠位骨片模擬体３を、これらが近づく方向へ弾性付勢する引張コイルばね９を備えているため、橈骨遠位端骨折を整復する際の操作力が、主に引張コイルばね９の復元力により再現される。
また、橈骨近位骨片模擬体２及び橈骨遠位骨片模擬体３間の外周部２Ａ，３Ａ対向面の少なくとも３箇所に凹凸係合部５，６があることから、図６の騎乗転位状態から図７の整復完了状態まで整復する操作の際における凹凸係合により軋轢音を触知することができるため実際の徒手整復に近い操作感を再現することができるとともに、外周部２Ａ，３Ａ対向面の少なくとも３箇所にある凹凸係合部が係合した状態では橈骨近位骨片模擬体２及び橈骨遠位骨片模擬体３が、その骨軸（長軸）が倒れる方向にがたつくことなく位置決めされるため、整復完了状態を触知することができる。
その上、実習模型１を用いた橈骨遠位端骨折の整復実習完了後に、再転位を起こさないように注意しながら、クラメル副木等の固定実習も併せて行うことができる。
【００２５】
さらに、橈骨近位骨片模擬体２の背側及び橈骨遠位骨片模擬体３の掌側に逃げ溝２Ｃ，３Ｃが形成されており、橈骨遠位骨片模擬体３が橈骨近位骨片模擬体２の背側に騎乗転位した状態と整復完了状態との間で引張コイルばね９と干渉しないことから、橈骨遠位骨片が橈骨近位骨片の背側に騎乗転位してフォーク背状に変形した状態を再現することができるため、このような転位が大きくなった状態の橈骨遠位端骨折を整復する屈曲整復法の実習を行うことができる。
さらにまた、橈骨遠位端骨折における橈骨近位骨片及び橈骨遠位骨片の骨折部に相当する部分がそれぞれ形成された橈骨近位骨片模擬体２及び橈骨遠位骨片模擬体３並びにこれらを弾性付勢する引張コイルばね９等からなる簡素な構成により、製造コストを低減することができるとともに、繰り返し使用に適した信頼性を確保することができる。
また、橈骨近位骨片模擬体２及び橈骨遠位骨片模擬体３間の中央部２Ｂ，３Ｂ対向面にも凹凸係合部７，８があり、この凹凸係合部７，８も整復操作の際に凹凸係合するため、さらに実際に近い軋轢音や操作感を再現することができる。
【００２６】
さらに、引張コイルばね９の長手方向が、近位方向へ行くにしたがって橈側へ傾斜しているため、橈骨遠位骨片模擬体３が橈骨近位骨片模擬体２の背側に騎乗転位した状態がより実際に近いものになるとともに、整復操作する際の操作力もより実際に近いものになる。
さらにまた、引張コイルばね９等の弾性体の張力を調節する張力調節手段を備えることにより、張力調節手段を操作して実際の徒手整復に近い操作感を再現するために熟練者が行う調節を容易に行うことができるとともに、製作した多数の実習模型１，…における整復実習時の操作感のばらつきを小さくすることができる。
また、弾性体が引張コイルばね９であり、張力調節手段がターンバックルであると、弾性体及び張力調節手段を、簡素な構成で長期間にわたって動作の信頼性が高く値段が安い引張コイルばね９及びターンバックルにより構成しているため、さらに製造コストの低減化及び高信頼化を図ることができるとともに、ターンバックルの胴部を回動させることにより引張コイルばね９の張力調節を容易に行うことができる。
【００２７】
さらに、橈骨近位骨片模擬体２及び橈骨遠位骨片模擬体３の少なくとも骨折部に相当する部分周りを、皮膚、皮下組織及び筋肉等の軟部組織を模した軟質素材Ｃで被覆してなると、骨折部に相当する部分周りが軟質素材Ｃで被覆されているため、図４及び図６に示す橈骨遠位端骨折に相当する状態にした際に実際の橈骨遠位端骨折に近い状態を目視することができ、整復操作をする際の触感が実際に近いものになるとともに、軟質素材Ｃが不透明である場合には、内部が見えない状態で整復できたことを確認することが求められる整復実習に好適なものとなる。
さらにまた、軟質素材Ｃを不透明とした実習模型１とともに、例えば高透明シリコンーンゴム等の透明の軟質合成樹脂素材で形成した軟質素材Ｃで骨折部に相当する部分周りを被覆した実習模型１も製作しておくことにより、軟質素材Ｃが透明であることから橈骨遠位端骨折の整復前後の状況を視認することができるため、整復実習をより効率的に進めることができる。
なお、軟質素材Ｃにより橈骨近位骨片模擬体２及び橈骨遠位骨片模擬体３を被覆する構成では、図４及び図６に示す橈骨遠位骨片模擬体３が橈骨近位骨片模擬体２の背側に騎乗転位した状態から図２及び図７に示す状態まで徒手整復する際に軟質素材Ｃも変形するため、軟質素材Ｃも操作力を及ぼすことになる。
【００２８】
また、図２及び図４〜図７に示すように、橈骨近位骨片模擬体２を橈骨の途中までの部分に相当する長さとしてその近位端部に回転関節１１を構成する円板１１Ａを設けており、図６及び図７に示すように円板１１Ａを腕近位部模型Ａ１の遠位端部の回転関節１１を構成するハウジング１１Ｂに収容して図１に示す腕模型Ａとし、腕模型Ａを装着手段である装着帯Ｂにより人体（あるいは、人体模型であってもよい。）に装着することができる。
このような構成によれば、装着帯Ｂで人体又は人体模型に装着した人の腕に近い実習模型１（腕模型Ａ）により、整復される受傷者の実際の姿勢並びに整復を行う術者及び助手の実際の動作を再現しながら、屈曲整復法等の整復実習を行うことができる。
なお、回転関節１１は、本実施の形態のような円板１１Ａをハウジング１１Ｂにより支持する構成に限定されるものではなく、すべり軸受や玉軸受等を用いた構成にしてもよく、略骨軸（長軸）まわりに約１８０°程度の相対的な回転をすることができる構成であればよい。
さらに、橈骨近位骨片模擬体２の近位端部に回転関節１１を設けることにより、回転関節１１により実習模型１の長軸回りの角度を自由に変更することができるため、整復を行う際の実際の腕の姿勢に近い状態を再現しながら整復実習を行うことができる。
【符号の説明】
【００２９】
Ａ  腕模型
Ａ１  腕近位部模型
Ｂ  装着帯（装着手段）
Ｃ  軟部組織を模した軟質素材
Ｈ  手
１  橈骨遠位端骨折整復実習模型
２  橈骨近位骨片模擬体
２Ａ  外周部
２Ｂ  中央部
２Ｃ  逃げ溝
３  橈骨遠位骨片模擬体
３Ａ  外周部
３Ｂ  中央部
３Ｃ  逃げ溝
４  手骨部
４Ａ  受け部材
５  係合凸部
５Ａ  球面
６  係合凹部
６Ａ  傾斜面
７  係合凸部
７Ａ  傾斜面
８  係合凹部
８Ａ  傾斜面
９  引張コイルばね（弾性体）
９Ａ，９Ｂ  端末
１０Ａ  ループ状紐体
１０Ｂ  掛止ピン
１１  回転関節（回り対偶）
１１Ａ  円板
１１Ｂ  ハウジング
【図１】
0005402962.tif 000002
【図２】
0005402962.tif 000003
【図３】
0005402962.tif 000004
【図４】
0005402962.tif 000005
【図５】
0005402962.tif 000006
【図６】
0005402962.tif 000007
【図７】
0005402962.tif 000008
【図８】
0005402962.tif 000009